(57)【要約】【課題】  電子装置における表示部の表示画面の回転方向および回転角度に関する情報を基に表示画面の視認性を適正レベルに保持し、また消費電力を効率的に制御する。【解決手段】  画像を表示する表示部２がヒンジブロック３を介して本体部４に回転可能な状態で取り付けられた電子装置１において、表示部２の本体部４に対する回転角度および回転方向を検出する垂直方向回転用ポテンショメータ３２と、垂直方向回転用ポテンショメータ３２で検出された回転角度および回転方向を基にＣＰＵ４０で判定された輝度レベルに表示部２の画面を制御する輝度制御ドライバ５０とを備えることを特徴とする。【選択図】  図３
2006217232.tif 000002
【特許請求の範囲】
【請求項１】
画像を表示する表示部がヒンジを介して装置の本体部に回転可能な状態で取り付けられた電子装置において、
前記表示部の前記本体部に対する回転角度および回転方向を検出する回転角度・方向検出手段と、
前記回転角度・方向検出手段で検出された前記回転角度および前記回転方向を基に前記表示部の画面の輝度を制御する制御手段と、
を備えることを特徴とする表示部を有する電子装置。
【発明の詳細な説明】
【技術分野】
【０００１】
本発明は、画像を表示する表示部を有する電子装置に関する。
【背景技術】
【０００２】
近年、撮影画像の観察や確認を行うための表示部を備えたビデオカメラ等の電子装置が普及している。この表示部はビデオカメラによる撮影を行う場合のファインダとして、また再生された映像を鑑賞する場合のモニタとして使用されるものである。その構造としては、表示部が本体に対してヒンジを介して回転自在に取り付けられ、状態に応じて表示画面の方向および角度調整が可能になっているものが多い。
【０００３】
特許文献１に記載の回転が可能な液晶表示部を有するビデオカメラは、撮影レンズの光軸に対して概略平行に配置された表示部（ＬＣＤ部）と、このＬＣＤ部をビデオカメラ本体に対して開閉動作させ光軸に垂直な第１軸と、この第１軸によりビデオカメラ本体から開いた状態のＬＣＤ部を仰角方向または俯角方向に回転可能な第２軸とを有する二軸ヒンジを有し、撮影時にＬＣＤ部をファインダとして使用する場合は、第１軸を回動させてＬＣＤ部を光軸に対して概略垂直に配置し、また撮影箇所によっては第２軸を回動させて所望の位置に配置する。またモニタとして使用する場合は、第２軸を１８０゜回転させてＬＣＤ部の表示面を本体部の表側にし、再生画をＬＣＤ部の画面に表示させる。
【０００４】
さらにこの発明では、再生時、ＬＣＤ部を１８０゜反転させて表示面を表に出したとき、本体部の下端面とＬＣＤ部の下端面とがほぼ同じ高さになるようにＬＣＤ部が２軸ヒンジに配置されおり、ＬＣＤ部を垂直に回転させるとさらに安定する構造を有している。
【特許文献１】特開平１１−２１５４１０号公報
【発明の開示】
【発明が解決しようとする課題】
【０００５】
しかし、従来の表示部を有する電子装置では、手動で表示部を回転させることに伴い表示部の有効照射光量が増大または減少したときに、視認性を適正レベルに保つために再度手動で調整を行わなければならなかった。
【０００６】
本発明は上記事情に鑑みてなされたものであり、電子装置の表示部の回転状態を検出することにより、表示部の有効照射光量が増大または減少しても、自動的に輝度を調整して視認性を適正レベルに保つように制御することが可能な電子装置を提供することを目的とする。
【課題を解決するための手段】
【０００７】
上記目的を達成するための表示部を有する電子装置は、画像を表示する表示部がヒンジを介して装置の本体部に回転可能な状態で取り付けられた電子装置において、表示部の本体部に対する回転角度および回転方向を検出する回転角度・方向検出手段と、回転角度・方向検出手段で検出された回転角度および回転方向を基に表示部の画面の輝度を制御する制御手段とを備えることを特徴とする。
【発明の効果】
【０００８】
本発明の表示部を有する電子装置によれば、表示部の表示画面が回転されたときにその回転状態を検出することにより自動的に輝度を調整し、視認性を適正レベルに保つように制御するこができる。
【発明を実施するための最良の形態】
【０００９】
〈第一実施形態〉
本発明の撮像装置１の第一実施形態を図面を用いて説明する。図１は本発明の第一実施形態における撮像装置１を示す外観斜視図である。図２は、本発明の第一実施形態における撮像装置１を示す側面図である。
【００１０】
本実施形態による電子装置としての撮像装置１は、表示部２と、ヒンジブロック３と、本体部４とを備える。表示部２と本体部４とはヒンジブロック３を介して接続されている。このヒンジブロック３は、表示部２を本体部４に対して開閉させる水平方向と、水平方向に略垂直に開いた状態で仰角または俯角方向に回転させる垂直方向との２方向に回転させることが可能である。表示部２は、未使用時には本体部４に畳み込まれている。
【００１１】
次に、本実施形態における撮像装置１の構成を図３のブロック図を参照して説明する。
【００１２】
表示部２は、撮影または再生された映像を画面に表示する。
【００１３】
ヒンジブロック３は、本体部４と表示部２とに接続され接続方向に対して表示部２を水平方向および垂直方向に回転させることが可能であり、これら２方向への回転を検出する回転情報検出部３０を有する。この回転方向検出部３０は、表示部２を垂直方向に回転させる垂直方向回転軸３１の回転角度および回転方向（仰角方向または俯角方向）を検出し垂直方向回転情報信号Sig１を発生する垂直方向回転検出用ポテンショメータ３２と、水平方向に回転させる水平方向回転軸３３の回転角度および回転方向を検出し水平方向の回転情報信号Sig２を発生する水平方向回転検出用ポテンショメータ３４とを有する。
【００１４】
本体部４は、ＣＰＵ４０と、輝度制御ドライバ５０とを有する。ＣＰＵ４０は、回転角度・方向判定回路４１と、輝度レベル演算回路４２と、ドライバ制御回路４３とを有する。回転角度・方向判定回路４１は、ヒンジブロック３の回転情報検出部３０から垂直方向回転情報信号Sig１および水平方向回転情報信号Sig２を取得し、このうち垂直方向回転情報信号Sig１から垂直方向回転軸３１の回転状態を判定する。輝度レベル演算回路４２は、回転角度・方向判定回路４１で判定された垂直方向回転軸３１の回転状態から、表示部２で発光させる輝度レベルを算出する。ドライバ制御回路４３は、表示部２を輝度レベル演算回路４２で算出された輝度レベルに制御するための輝度制御信号Sig３を発生し輝度制御ドライバ５０に送信する。輝度制御ドライバ５０は、受信した輝度制御信号Sig３の情報を基に表示部２を駆動する表示部駆動信号Sig４を発生し表示部に送信する。
【００１５】
次に、本実施形態による撮像装置１の動作を図４のフローチャートを参照して説明する。
【００１６】
撮像装置１の表示部２は、使用されていないときは本体部４に密接して収納されている。この収納状態から使用者が表示部２を開閉させると、ヒンジブロック３を支点として水平方向に開き、本体部４に対して略垂直の状態で停止する。この水平方向の表示部２の動作により、水平方向回転軸３３が回転される。
【００１７】
さらに、表示部２が本体部４に対して略垂直である開閉停止状態において、使用者は見やすい位置に表示部２を仰角または俯角方向である垂直方向に回転させる。この垂直方向の表示部２の動作により、垂直方向回転軸３１が回転される（Ｓ１）。
【００１８】
垂直方向回転軸３１が回転されたときは、垂直方向回転検出用ポテンショメータで回転角度および回転方向（仰角方向または俯角方向）が検出され、この情報を基に垂直方向回転情報信号Sig１が発生される。水平方向回転軸３３が回転されたときは、水平方向回転検出用ポテンショメータで回転角度および回転方向が検出され、この情報を基に水平方向回転情報信号Sig２が発生される（Ｓ２、Ｓ３）。
【００１９】
本体部４では、ＣＰＵ４０の回転角度・方向判定回路４１で、ヒンジブロック３の回転情報検出部３０から垂直方向回転情報信号Sig１および水平方向回転情報信号Sig２が取得され、このうち垂直方向回転情報信号Sig１に含まれる回転角度および回転方向の情報から垂直方向回転軸３１の回転状態が判定される（Ｓ４）。
【００２０】
次に、輝度レベル演算回路４２において、回転角度・方向判定回路４１で判定された回転状態から表示部２で発光させる輝度レベルが算出される。
【００２１】
輝度レベルの算出方法について図５および図６を参照して説明する。図５に示すように、表示画面が仰角方向へ回転されると、表示画面に対する外光の有効照射光量が増加するため回転が行われない場合と比較して視認性が低下する。これは、ほとんどの場合外光は垂直方向の上方から照射するためである。よって、表示画面が仰角方向へ回転されたときはこの上方からの外光による視認性の低下を防ぐため、表示画面の自発的な発光レベルを上げるように輝度レベルが算出される。
【００２２】
また図６に示すように、表示画面が俯角方向へ回転されると、表示画面に対する外光の有効照射光量が減少するため回転が行われない場合と比較して視認性が若干向上するかまたは同程度に保持される。よって、表示画面が俯角方向へ回転されたときは視認性を適正レベルに保持しつつも消費電力の低減を図るため、表示画面の自発的な発光レベルを下げるように輝度レベルが算出される。
【００２３】
次に、ドライバ制御回路４３において、輝度レベル演算回路４２で算出された輝度レベルに制御するための輝度制御信号Sig３が発生され、輝度制御ドライバ５０に送信される（Ｓ５）。輝度制御ドライバ５０では、受信した輝度制御信号Sig３の情報を基に表示部２を駆動する表示部駆動信号Sig４が発生され、表示部２に送信される。
【００２４】
送信された表示部駆動信号Sig４は表示部２で受信され、この表示部駆動信号Sig４に基づいて表示部２の輝度レベルが制御され表示が行われる（Ｓ６）。
【００２５】
上記の第一実施形態により、表示画面が仰角方向に回転され外光の入射量が増大し視認性が低下すると推測される場合には、自動的に発光輝度が上がり視認性を適正レベルに保持することができ、また、表示画面が俯角方向に回転され外光の入射量が減少し視認性が保持されるかもしくは向上すると推測される場合には、自動的に発光輝度が下がり視認性を適正レベルに保持しつつも消費電力の低減を図ることができる。
【００２６】
また、輝度レベル演算回路４２において、表示部２の回転方向が仰角方向である場合にはその回転角度の大きさによって輝度レベルの増加値が算出され、回転方向が俯角方向である場合にはその回転角度の大きさによって輝度レベルの減少値が算出されるように、回転角の大きさと関連付けて制御を行ってもよい。これにより、さらに正確に視認性を適正レベルに保つことができる。
【００２７】
〈第二実施形態〉
本発明の第二実施形態は、使用者が表示部２を手動で垂直または水平に回転させようとしたときに、通常よりも強い力を撮像装置１に加えることによりもう一方の手に力で誤って本体部４のスイッチを押すことがあっても、誤操作が起こらないようにするものである。
【００２８】
本発明の電子装置としての撮像装置１の第二実施形態を図面を用いて説明する。本実施形態による撮像装置１は、第一実施形態と同様に表示部２と、ヒンジブロック３と、本体部４とを備える。
【００２９】
本実施形態における撮像装置１の構成を図７のブロック図を参照して説明する。表示部２およびヒンジブロック３の構成は、第一実施形態と同様であるため説明を省略する。
【００３０】
本実施形態における本体部４は、ＣＰＵ４０と、本体スイッチ群６０とを有する。ＣＰＵ４０は、回転角度・方向判定回路４１と、スイッチロック判定回路４４と、スイッチロック信号発生回路４５と、スイッチ命令遮断回路４６と、各制御回路４７とを有する。本体スイッチ群６０は、機能を制御する複数のスイッチ６１、６２、６３・・・を有する。
【００３１】
回転角度・方向判定回路４１は、垂直方向回転検出用ポテンショメータ３２および水平方向回転検出用ポテンショメータ３４から垂直方向回転情報信号Sig１および水平方向回転情報信号Sig２を取得し、これにより垂直方向回転軸３１および水平方向回転軸３３の回転状態を判定する。
【００３２】
スイッチロック判定回路４４は、回転角度・方向判定回路４１で判定された回転状態から、スイッチ操作による機能制御をロックするかどうかを判定する。
【００３３】
スイッチロック信号発生回路４５は、スイッチロック判定回路４４でスイッチ操作による機能制御をロックすると判定されたときにスイッチロック信号Sig５を発生する。
【００３４】
スイッチ命令遮断回路４６は、スイッチロック信号発生回路４５でスイッチロック信号Sig５が発生したときには、本体スイッチ群６０のスイッチ６１、６２、または６３から発生されたインストラクション信号Sig６を遮断する。スイッチロック信号Sig５が発生していないときは、インストラクション信号Sig６を各制御回路４７に送信する。
【００３５】
各制御回路４７は、インストラクション信号Sig６を受信したときには、信号の内容に基づいた機能の制御を行う。
【００３６】
スイッチ６１、６２、６３は、使用者により操作されることにより、各種機能を制御するインストラクション信号Sig６を発生しＣＰＵに送信する。
【００３７】
次に、本実施形態による撮像装置１の動作を図８のフローチャートを参照して説明する。
【００３８】
まず、使用者により手動で表示部２が垂直方向または水平方向に回転されることに伴って、ヒンジブロック３の垂直方向回転軸３１または水平方向回転軸３３が回転される（Ｓ１１）。垂直方向回転軸３１が回転されたときは、垂直方向回転検出用ポテンショメータで回転角度および回転方向が検出され、この情報を基に垂直方向回転情報信号Sig１が発生される。水平方向回転軸３３が回転されたときは、水平方向回転検出用ポテンショメータで回転角度および回転方向が検出され、この情報を基に水平方向回転情報信号Sig２が発生される（Ｓ１２）。
【００３９】
本体部４では、ＣＰＵ４０の回転角度・方向判定回路４１で、ヒンジブロック３の回転情報検出部３０から垂直方向回転情報信号Sig１および水平方向回転情報信号Sig２が取得され、垂直方向回転軸３１および水平方向回転軸３３の回転状態が判定される（Ｓ１３）。
【００４０】
次に、スイッチロック判定回路４４において、回転角度・方向判定回路４１で判定された回転状態から、スイッチ操作による機能制御をロックするかどうか判定される。このとき、回転状態で垂直方向回転軸３１または水平方向回転軸３３で回転があったと判定されたときはスイッチ操作による機能制御をロックすると判定され、回転がなかったと判定されたときはスイッチ操作による機能制御をロックしないと判定される。
【００４１】
ここでスイッチ操作による機能制御をロックすると判定されたときは、スイッチロック信号発生回路４５で本体スイッチ群６０のスイッチ６１、６２、または６３から送信されるインストラクション信号Sig６を遮断するための制御信号であるスイッチロック信号Sig５が発生される（Ｓ１４）。
【００４２】
一方、本体スイッチ群６０のスイッチ６１、６２、または６３が使用者により操作されることにより、スイッチ６１、６２、または６３で各種機能を制御するインストラクション信号Sig６が発生され、ＣＰＵ４０のスイッチ命令遮断回路４６に送信される。
【００４３】
スイッチ命令遮断回路４６では、スイッチ６１、６２、または６３からインストラクション信号Sig６が受信されると同時にスイッチロック信号発生回路４５からスイッチロック信号Sig５が受信されたときは、スイッチ６１、６２、または６３からのインストラクション信号Sig６が遮断され、スイッチ６１、６２、または６３による駆動が行われない（Ｓ１５）。一方、スイッチ６１、６２、または６３からインストラクション信号Sig６が受信されたときにスイッチロック信号発生回路４５からスイッチロック信号Sig５が受信されていなければ、スイッチ命令遮断回路４６で受信されたインストラクション信号Sig６が各制御回路４７に送信される。
【００４４】
各制御回路４７では、インストラクション信号Sig６が受信されたときには、信号の内容に基づいた機能の制御が行われる。
【００４５】
本実施形態において、垂直方向回転検出用ポテンショメータまたは水平方向回転検出用ポテンショメータ等の故障が起こった場合に何らの命令も受け付けないような状態になることを避けるため、特に“主電源スイッチ”、“機能設定メニュー関連スイッチ”は制御の対象から除くこととする。
【００４６】
上記の第二実施形態によれば、表示部２が回転動作中は各スイッチ６１、６２、または６３から送信されるインストラクション信号Sig６が遮断されるため、使用者が表示部２を手動で垂直または水平に回転させようとしたときに、通常よりも強い力を撮像装置１に加えることによりもう一方の手に力で誤ってスイッチ６１、６２、または６３を押すことがあっても意図しない機能を駆動させず、誤操作を防ぐことができる。
【００４７】
〈第三実施形態〉
本発明の第三実施形態は、使用者が表示部２を手動で垂直または水平に回転させようとしたときに、通常よりも強い力を撮像装置１に加えることにより手ブレ現象が発生しても、自動焦点調整動作を不安定にさせないようにするものである。
【００４８】
本発明の電子装置としての撮像装置１の第三実施形態を図面を用いて説明する。本実施形態による撮像装置１は、第一実施形態および第二実施形態と同様に表示部２と、ヒンジブロック３と、本体部４とを備える。
【００４９】
本実施形態における撮像装置１の構成を図９のブロック図を参照して説明する。表示部２およびヒンジブロック３の構成は、第一実施形態および第二実施形態と同様であるため説明を省略する。
【００５０】
本実施形態における本体部４は、ＣＰＵ４０と、フォーカスドライバ７０と、カメラ部８０とを有する。ＣＰＵ４０は、回転角度・方向判定回路４１と、自動焦点調節制御回路４８と、ドライバ制御回路４９とを有する。
【００５１】
回転角度・方向判定回路４１は、垂直方向回転検出用ポテンショメータ３２および水平方向回転検出用ポテンショメータ３４から垂直方向回転情報信号Sig１および水平方向回転情報信号Sig２を取得し、これにより垂直方向回転軸３１および水平方向回転軸３３の回転状態を判定する。
【００５２】
自動焦点調節制御回路４８は、回転角度・方向判定回路４１で判定された回転状態から、自動焦点調節制御を行うかどうかを判定する。
【００５３】
ドライバ制御回路４９は、自動焦点調節制御回路４８で判定された結果の情報を含むフォーカスレンズ制御信号Sig７を発生し、フォーカスドライバ７０に送信する。
【００５４】
フォーカスドライバ７０は、フォーカスレンズ制御信号Sig７で自動焦点調節制御を行うと判定された情報を受信したときは、フォーカスレンズ駆動信号Sig８を発生し、カメラ部８０に送信する。
【００５５】
カメラ部８０は、フォーカスモータ８１と、フォーカスレンズ８２とを有する。フォーカスモータ８１は、フォーカスドライバ７０からフォーカスレンズ駆動信号Sig８を受信したときは、その情報を基にフォーカスレンズ８２を駆動する。フォーカスレンズ８２は、フォーカスモータ８１により駆動される位置に移動する。
【００５６】
次に、本実施形態による撮像装置１の動作を図１０のフローチャートを参照して説明する。
【００５７】
まず、使用者により手動で表示部２が垂直方向または水平方向に回転されることに伴って、ヒンジブロック３の垂直方向回転軸３１または水平方向回転軸３３が回転される（Ｓ２１）。垂直方向回転軸３１が回転されたときは、垂直方向回転検出用ポテンショメータで回転角度および回転方向が検出され、この情報を基に垂直方向回転情報信号Sig１が発生される。水平方向回転軸３３が回転されたときは、水平方向回転検出用ポテンショメータで回転角度および回転方向が検出され、この情報を基に水平方向回転情報信号Sig２が発生される（Ｓ２２）。
【００５８】
本体部４では、ＣＰＵ４０の回転角度・方向判定回路４１で、ヒンジブロック３の回転情報検出部３０から垂直方向回転情報信号Sig１および水平方向回転情報信号Sig２が取得され、垂直方向回転軸３１および水平方向回転軸３３の回転状態が判定される（Ｓ２３）。
【００５９】
次に、自動焦点調節制御判定回路４８において、回転角度・方向判定回路４１で判定された回転状態から、フォーカスレンズの駆動を行うかどうか判定される。このとき、回転状態で垂直方向回転軸３１または水平方向回転軸３３で回転があったと判定されたときはフォーカスレンズの駆動を停止すると判定され、回転がなかったと判定されたときにはフォーカスレンズの駆動を行うと判定される。
【００６０】
次に、ドライバ制御回路４９において、自動焦点調節制御判定回路４８の判定結果の情報を含むフォーカスレンズ制御信号Sig７が発生されフォーカスドライバ７０へ送信される（Ｓ２４）。そして、フォーカスドライバ７０において、受信されたフォーカスレンズ制御信号Sig７にフォーカスレンズの駆動を行うと判定された情報が含まれているときはフォーカスレンズ駆動信号Sig８が発生され、カメラ部８０に送信される。
【００６１】
送信されたフォーカスレンズ駆動信号Sig８は、カメラ部８０のフォーカスモータ８１で受信される。フォーカスモータ８１では、このフォーカスレンズ駆動信号Sig８の情報によりフォーカスレンズ８２を動かす駆動が行われるかまたは停止させるように制御される（Ｓ２５）。
【００６２】
よって、上記の第三実施形態によれば、使用者が表示部２を手動で垂直または水平に回転させているときに自動焦点調節動作を停止させるため、通常よりも強い力が撮像装置１に加えられて手ブレ現象が発生しても、フォーカスレンズを駆動させる入力信号にノイズを与えたり、自動焦点調整動作を不安定にさせたりすることを防ぐことができる。また本実施形態により、表示部２の回転動作中にピントがずれる現象も防ぐことができ、自動焦点調整動作の安定性を向上させることができる。
【００６３】
このとき、動作／停止の２値的制御ではなく、回転角の単位時間毎の差分によってフォーカスレンズの駆動速度を変えるように制御を行ってもよい。これにより、表示部２の回転速度によってフォーカスレンズの駆動速度を制御することができ、さらに自動焦点調整動作の安定性を向上させることができる。
【００６４】
以上、撮像装置を例に各実施形態を説明したが、本発明はこれに限らず、ノートパソコンや携帯電話等、表示部を備えた電子装置に適用可能である。
【図面の簡単な説明】
【００６５】
【図１】本発明の第一実施形態による電子装置を示す外観斜視図である。
【図２】本発明の第一実施形態による電子装置を示す側面図である。
【図３】本発明の第一実施形態による電子装置を示すブロック図である。
【図４】本発明の第一実施形態による電子装置の動作を示すフローチャートである。
【図５】本発明の第一実施形態による電子装置の表示部を仰角方向に回転させた状態を示す側面図である。
【図６】本発明の第一実施形態による電子装置の表示部を俯角方向に回転させた状態を示す側面図である。
【図７】本発明の第二実施形態による電子装置を示すブロック図である。
【図８】本発明の第二実施形態による電子装置の動作を示すフローチャートである。
【図９】本発明の第三実施形態による表示部を有する電子装置を示すブロック図である。
【図１０】本発明の第三実施形態による電子装置の動作を示すフローチャートである。
【符号の説明】
【００６６】
１  撮像装置
２  表示部
３  ヒンジ部
４  本体部
３０  ヒンジブロック
３１  垂直方向回転軸
３２  垂直方向回転検出用ポテンショメータ
３３  垂直方向回転軸
３４  水平方向回転検出用ポテンショメータ
４０  ＣＰＵ
４１  回転角度・方向判定回路
４２  輝度レベル演算回路
４３  ドライバ制御回路
４４  スイッチロック判定回路
４５  スイッチロック信号発生回路
４６  スイッチ命令遮断回路
４７  各制御回路
４８  自動焦点調節制御判定回路
４９  ドライバ制御回路
５０  輝度制御ドライバ
６０  本体スイッチ群
６１、６２、６３  スイッチ群
７０  フォーカスドライバ
８０  カメラ部
８１  フォーカスモータ
８２  フォーカスレンズ
Sig１  垂直方向回転情報信号
Sig２  水平方向回転情報信号
Sig３  輝度制御信号
Sig４  表示部駆動信号
Sig５  スイッチロック信号
Sig６  インストラクション信号
Sig７  フォーカスレンズ制御信号
Sig８  フォーカスレンズ駆動信号
【図１】
2006217232.tif 000003
【図２】
2006217232.tif 000004
【図３】
2006217232.tif 000005
【図４】
2006217232.tif 000006
【図５】
2006217232.tif 000007
【図６】
2006217232.tif 000008
【図７】
2006217232.tif 000009
【図８】
2006217232.tif 000010
【図９】
2006217232.tif 000011
【図１０】
2006217232.tif 000012